(57)【特許請求の範囲】
【請求項１】
上開口部を臨む１つの開口縁部に吊下げフラップが設けられ、吊下げ露出面と吊下げ差込面とを備えた吊下げフラップを設けてなる箱であって、
吊下げフラップの吊下げ露出面における吊下げ孔の上縁部に第１舌片を連設するとともに、吊下げ差込面における吊下げ孔の上縁部に第２舌片を連設し、吊下げ露出面と吊下げ差込面による吊下げ支持部の形成状態下で、第１舌片と第２舌片を重ね配置して該吊下げ支持部の一部を形成し、両舌片のうちの少なくとも吊下げ支持部の内側に位置する舌片の先端を吊下げ露出面もしくは吊下げ差込面に衝合せしめてなり、
上開口部の吊下げフラップが設けられる開口縁部に相対する他の開口縁部に折れ線を介して該上開口部に差込み可能とされる蓋部が設けられ、
吊下げフラップの吊下げ差込面の先端側中間部の両側にロック爪が切り込んで形成され、
蓋部と開口縁部との間の折れ線に、吊下げフラップの吊下げ差込面が差し込まれて上記ロック爪を係止可能とするロックスリットが形成され、
吊下げフラップの吊下げ差込面が差し込まれるロックスリットは、蓋部の側の一辺と開口縁部の側の一辺に囲まれ、蓋部の側の一辺が該スリットの中央部のスリット幅を幅広に、該スリットの両側部のスリット幅を幅狭に形成し、この両側の幅狭部にロック爪を係止させる箱。
【請求項２】
前記ロックスリットに差し込まれた吊下げフラップは吊下げ差込面の先端部が箱の開口縁部より少し下がった内壁面に接し、ロック爪が箱の内方に押された状態で、箱の開口縁部から離れてロックスリットの幅狭部に係止する請求項１に記載の箱。
【発明の詳細な説明】
【０００１】
【発明の属する技術分野】
本発明は、物品を収納する箱に関する。
【０００２】
【従来の技術】
従来、実公昭57-58103号公報に記載の如くの箱がある。この箱は、上開口部を臨む１つの開口縁部に吊下げフラップが設けられ、吊下げフラップは該開口縁部の側から順次折れ線を介して吊下げ露出面と吊下げ差込面とを連設して備え、吊下げ露出面と吊下げ差込面の間の折れ線を挟んで相対応する部分に吊下げ孔を形成して構成されている。
【０００３】
そして、上記従来の箱は、吊下げフラップの差込み収納状態と、吊下げフラップを利用する吊下げ状態とを選択的に形成できるようになっている。吊下げフラップの差込み収納状態は、吊下げフラップの吊下げ差込面を上開口部内に差込み収納するものである。他方、吊下げフラップを利用する吊下げ状態は、吊下げ差込面の一部を上開口部外に引き出し該吊下げ差込面の中間部を上開口部側に係止して形成される吊下げ露出面と該吊下げ差込面の凸状交差部の前記吊下げ孔上部を吊下げ支持部とするものである。
【０００４】
【発明が解決しようとする課題】
しかしながら、従来技術には以下の問題点がある。
▲１▼吊下げ支持部が、凸状に交差する吊下げ露出面と吊下げ差込面のみからなり、それらの吊下げ露出面と吊下げ差込面のそれぞれに設けてある吊下げ孔の上縁部がエッジ状をなして該吊下げ孔に臨むものとなっている。
【０００５】
▲２▼上記▲１▼により、吊下げ支持部は基本的には吊下げ露出面と吊下げ差込面とが交差する逆Ｖ字状をなす構造体であり、剛性は乏しく、吊下げ耐力が低い。このため、重量物を収納するための箱として用いにくい。
【０００６】
▲３▼吊下げ支持部を握り部として手で吊下げ使用する場合、上記▲１▼により、吊下げ孔の上縁部のエッジが手指に鋭くあたり持ちにくい。また、吊下げ支持部が上記▲２▼の如くに逆Ｖ字状をなす構造体であって手の把持力が大なるときに握り部が容易に撓み変形してしまうものとなり、安定して持ちにくい。内容物が重量物であるとき、特に不安定になる。
【０００７】
本発明の課題は、吊下げ支持部をもつ箱において、重量物を内容物とする場合にも安定して吊下げ可能とすることにある。
【０００８】
【課題を解決するための手段】
請求項１に記載の本発明は、上開口部を臨む１つの開口縁部に吊下げフラップが設けられ、吊下げ露出面と吊下げ差込面とを備えた吊下げフラップを設けてなる箱であって、吊下げフラップの吊下げ露出面における吊下げ孔の上縁部に第１舌片を連設するとともに、吊下げ差込面における吊下げ孔の上縁部に第２舌片を連設し、吊下げ露出面と吊下げ差込面による吊下げ支持部の形成状態下で、第１舌片と第２舌片を重ね配置して該吊下げ支持部の一部を形成し、両舌片のうちの少なくとも吊下げ支持部の内側に位置する舌片の先端を吊下げ露出面もしくは吊下げ差込面に衝合せしめてなり、上開口部の吊下げフラップが設けられる開口縁部に相対する他の開口縁部に折れ線を介して該上開口部に差込み可能とされる蓋部が設けられ、吊下げフラップの吊下げ差込面の先端側中間部の両側にロック爪が切り込んで形成され、蓋部と開口縁部との間の折れ線に、吊下げフラップの吊下げ差込面が差し込まれて上記ロック爪を係止可能とするロックスリットが形成され、吊下げフラップの吊下げ差込面が差し込まれるロックスリットは、蓋部の側の一辺と開口縁部の側の一辺に囲まれ、蓋部の側の一辺が該スリットの中央部のスリット幅を幅広に、該スリットの両側部のスリット幅を幅狭に形成し、この両側の幅狭部にロック爪を係止させるようにしたものである。
【０００９】
請求項２に記載の本発明は、請求項１に記載の本発明において更に、前記ロックスリットに差し込まれた吊下げフラップは吊下げ差込面の先端部が箱の開口縁部より少し下がった内壁面に接し、ロック爪が箱の内方に押された状態で、箱の開口縁部から離れてロックスリットの幅狭部に係止するようにしたものである。
【００１５】
【発明の実施の形態】
図１は第１実施形態の箱の吊下げ状態を示す模式図、図２は図１の縦断面図、図３は第１実施形態の箱の展開図、図４は第２実施形態の縦断面図である。
【００１６】
（第１実施形態）（図１〜図３）
図１に示すように、箱１０は、物品を収納する収納箱体１１に吊下げ支持部１２を一体に構成したものであり、紙やプラスチック等のシート１３（図３）から形成される。
【００１７】
シート１３には、図３に示すように右側面部１４、正面部１５、左側面部１６、背面部１７、糊付代１８がそれぞれ折れ線ａ、ｂ、ｃ、ｄを介して順次連設して形成される。更に、シート１３には、正面部１５の上開口縁部に、蓋部１９、差込片２０がそれぞれ折れ線ｅ、ｆを介して順次連設して形成される。
【００１８】
また、シート１３には、右側面部１４の上開口縁部に垂蓋２１が折れ線ｇを介して連設して形成され、また左側面部１６の上開口縁部に垂蓋２２が折れ線ｈを介して連設して形成される。差込片２０には、係止爪２３が形成される。垂蓋２１及び２２に係止部２４が形成されている。
【００１９】
また、シート１３には、正面部１５の下開口縁部と背面部１７の下開口縁部のそれぞれに折れ線ｉ、ｊを介して互いに一対をなす底形成面４１、４２を設けるとともに、右側面部１４の下開口縁部と左側面部１６の下開口縁部のそれぞれに折れ線ｋ、ｌを介して底接続面４３、４４を設けている。また、一方の底形成面４１の折れ線ｍを境とする貼付部４５に底接続面４３を接着するとともに、他方の底形成面４２の折れ線ｎを境とする貼付部４６に底接続面４４を接着することとしている。そして、箱１０に、後述する組み上げ状態で、一方の底形成面４１の凸縁部４１Ａを他方の底形成面４２の凹縁部４２Ｂの上側に係合し、他方の底形成面４２の凸縁部４２Ａを一方の底形成面４１の凹縁部４１Ｂの上側に係合して底部４７を形成することとしている。
【００２０】
これにより、収納箱体１１は、底形成面４１の貼付部４５に底接続面４３を、底形成面４２の貼付部４６に底接続面４４を接着するとともに、右側面部１４の裏面に糊付代１８を接着して右側面部１４〜背面部１７の連続体を形成する。上記底形成面４１、４２、底接続面４３、４４を右側面部１４〜背面部１７の連続体の内側に折り込み、且つ右側面部１４と正面部１５の折れ線ａ、左側面部１６と背面部１７の折れ線ｃ、底形成面４１の折れ線ｍ、底形成面４２の折れ線ｎで該収納箱体１１の全体を平面状の折り畳み状態にすることができる。
【００２１】
そして、収納箱体１１は、上述の平面状の折り畳み状態から折れ線ａ、ｂ、ｃ、ｄを折り曲げて右側面部１４〜背面部１７を箱形に組み上げると、底形成面４１の凸縁部４１Ａが底形成面４２の凹縁部４２Ｂの上に、底形成面４２の凸縁部４２Ａが底形成面４１の凹縁部４１Ｂの上に係合して、右側面部１４〜背面部１７の下開口縁部が形成する下開口部１０Ｂに底部４７を形成する。また、右側面部１４〜背面部１７の上開口縁部が形成する上開口部１０Ａでは、折れ線ｅ、ｆを折り曲げて、蓋部１９の差込片２０が上開口部１０Ａに差し込まれ、蓋部１９にて上開口部１０Ａを閉じる。このとき、差込片２０の係止爪２３が垂蓋２１、２２の係止部２４に係合し、蓋部１９の閉蓋状態が保持される。
【００２２】
さて、シート１３には、正面部１５の上開口縁部に折れ線ｏ、ｐを介して吊下げフラップ１００を構成する吊下げ露出面２５、吊下げ差込面２６及び吊下げ差込面２６の先端部２７が順次連設される。上記吊下げ露出面２５の延出長Ｌ1 は、右側面部１４及び左側面部１６の幅Ｗ1 、つまり箱形の収納箱体１１において正面部１５と背面部１７との距離にほぼ等しく設定される。
【００２３】
上記吊下げ差込面２６には、先端側中間部の両側にロック爪２８が切り込んで形成される。吊下げ露出面２５には、折れ線ｐ側の中央位置に取出片３２が形成される。
【００２４】
一方、正面部１５と蓋部１９との折れ線ｅには、ほぼ中央位置にロックスリット３０が形成され、このロックスリット３０の両端における蓋部１９側にロック部３１が形成される。また、ロックスリット３０の中央位置には、取出開口３３が打ち抜いて形成される。この取出開口３３は、取出片３２に対応する位置に形成される。また、上記ロック爪２８がロック部３１に係合可能とされる。
【００２５】
また、吊下げフラップ１００は、吊下げ露出面２５と吊下げ差込面２６の間の折れ線ｐを挟んで相対する部分に、吊下げ孔３４、３５を設けてある。このとき、吊下げフラップ１００の吊下げ露出面２５における吊下げ孔３４の上縁部には折れ線ｑを介して第１舌片３６が連設し、吊下げ差込面２６における吊下げ孔３５の上縁部には折れ線ｒを介して第２舌片３７が連設してある。第１舌片３６は吊下げ露出面２５から折れ線ｑを残して切離線ｓにより切離され、第２舌片３７は吊下げ差込面２６から折れ線ｒを残して切離線ｔにより切離されたものである。
【００２６】
吊下げフラップ１００の吊下げ差込面２６の全体がロックスリット３０に差し込まれ、吊下げ差込面２６の両縁がロックスリット３０のロック部３１に圧入したとき、吊下げ露出面２５が蓋部１９に重ね合わされ、吊下げ差込面２６が正面部１５の裏面に接して箱１０内に収納される（差込み収納状態）。
【００２７】
しかるに、吊下げフラップ１００の吊下げ露出面２５、吊下げ差込面２６は、箱形に形成された収納箱体１１において蓋部１９及び差込片２０に対向して配置される。折れ線ｏ、ｐを折り曲げ、吊下げ差込面２６の先端部２７をロックスリット３０に差し込み、吊下げ差込面２６のロック爪２８をロックスリット３０のロック部３１に係合させたとき、図１に示すように、蓋部１９の上方に三角状の吊下げ支持部１２が形成される（吊下げ状態）。
【００２８】
このとき、吊下げ支持部１２は、吊下げ露出面２５と吊下げ差込面２６の凸状交差部１０１における前記吊下げ孔３４、３５の上部にて構成される。凸状交差部１０１は、吊下げ露出面２５と吊下げ差込面２６が折れ線ｐを介して交差する三角状をなす。そして、この吊下げ露出面２５と吊下げ差込面２６による吊下げ支持部１２の形成状態下で、吊下げ孔３４、３５の舌片３６、３７を互いに重ね配置して該吊下げ支持部１２の下辺部を形成し、吊下げ孔３４、３５のうちの少なくとも吊下げ支持部１２の内側に位置するもの、本実施形態では第２舌片３７の先端をこれに相対する吊下げ露出面２５の内側に衝合せしめることとしている（図２）。この箱１０の吊下げ状態で、吊下げ孔３４、３５に挿入した手指により吊下げ支持部１２を握り部として箱１０を持ち運び、或いは吊下げ孔３４、３５に挿入した吊下げ棒にて箱１０を吊下げ陳列できる。
【００２９】
尚、本発明の実施において、吊下げ支持部１２の一部を構成する第１舌片３６と第２舌片３７は、それらの両者ともそれらに相対する吊下げ差込面２６と吊下げ露出面２５の内面に衝合せしめるものであっても良い。
【００３０】
従って、本実施形態によれば、本発明の前述した▲１▼〜▲５▼の作用に加え、以下の作用がある。
下開口部１０Ｂに設けた一方の底形成面４１の凸縁部４１Ａを他方の底形成面４２の凹縁部４２Ｂの上側に係合し、他方の底形成面４２の凸縁部４２Ａを一方の底形成面４１の凹縁部４１Ｂの上側に係合して底部４７を形成した。従って、箱１０の底部は、両底形成面４１、４２の確実な係合により安定形成され、内容物が重量物である場合にも安定支持できる。
【００３１】
（第２実施形態）（図４）
第２実施形態の箱１１０が、第１実施形態の箱１０と実質的に異なる点は、吊下げフラップ１００の吊下げ露出面２５と吊下げ差込面２６の間に２本の互いに近接する平行な折れ線ｐ1 、ｐ2 を設け、吊下げ支持部１２を形成する吊下げ露出面２５と吊下げ差込面２６の凸状交差部１１１が、２本の折れ線ｐ1 、ｐ2 に挟まれる平坦状頂面をもつ略台形状をなすものとしたことにある。
【００３２】
この第２実施形態によれば、箱１１０の吊下げ状態で、手指による握り部となる吊下げ支持部１２が略台形状閉断面をなすから、これが三角状閉断面をなすものに比して手指に対するあたりがよりやさしく、重量物をより安定的に持ち易いものとすることができる。
【００３３】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３４】
【発明の効果】
以上のように本発明によれば、吊下げ支持部をもつ箱において、重量物を内容物とする場合にも安定して吊下げ可能とすることができる。
【図面の簡単な説明】
【図１】図１は第１実施形態の箱の吊下げ状態を示す模式図である。
【図２】図２は図１の縦断面図である。
【図３】図３は第１実施形態の箱の展開図である。
【図４】図４は第２実施形態の縦断面図である。
【符号の説明】
１０、１１０  箱
１０Ａ  上開口部
１０Ｂ  下開口部
１２  吊下げ支持部
１９  蓋部
２５  吊下げ露出面
２６  吊下げ差込面
２８  ロック爪
３０  ロックスリット
３４、３５  吊下げ孔
３６  第１舌片
３７  第２舌片
４１、４２  底形成面
４１Ａ、４２Ａ  凸縁部
４１Ｂ、４２Ｂ  凹縁部
４３、４４  底接続面
４７  底部
１００  吊下げフラップ
１０１  凸状部
【図１】
0004076256.tif 000002
【図２】
0004076256.tif 000003
【図３】
0004076256.tif 000004
【図４】
0004076256.tif 000005